(57)【要約】【課題】蓋を品物収容部材へ容易に固定する。【解決手段】ブリスターパックは、品物収容部材２０と蓋２２とを備える。品物収容部材２０は、凹部、及び、溝部の対を有する。凹部に品物が収容される。溝部の対は凹部が挟まれるように対向する。蓋２２は溝部の対の双方に嵌まることで凹部を塞ぐ。蓋２２が複数の層７０，７２を有している。複数の層７０，７２は、少なくともいずれかの端部で互いに離れた状態にある。蓋２２に貫通孔８０が設けられている。貫通孔８０は複数の層７０，７２のうち互いに離れた状態にある部分を貫通する。品物収容部材２０が、進入部４８をさらに有する。進入部４８は、貫通孔８０と対向する位置に配置される。進入部４８は、貫通孔８０から複数の層７０，７２の間に進入して複数の層７０，７２に挟まれる。【選択図】図６
2014148343.tif 000002
【特許請求の範囲】
【請求項１】
品物が収容される凹部、及び、前記凹部が挟まれるように対向する溝部の対を有する品物収容部材と、
前記溝部の対の双方に嵌まることで前記凹部を塞ぐ蓋とを備えるブリスターパックであって、
前記蓋が、いずれかの端部で互いに離れた状態にある複数の層を有しており、
前記蓋に前記複数の層のうち前記端部を貫通する貫通孔が設けられており、
前記品物収容部材が、前記貫通孔と対向する位置に配置され、前記貫通孔から前記複数の層の間に進入して前記複数の層に挟まれる進入部をさらに有することを特徴とするブリスターパック。
【請求項２】
前記貫通孔の断面形状が曲線状部分を有していることを特徴とする請求項１記載のブリスターパック。
【請求項３】
前記曲線状部分が前記貫通孔の内側から見て前記貫通孔の外側へ向かって突出している部分を有することを特徴とする請求項２記載のブリスターパック。
【請求項４】
前記進入部の付け根部分の幅が前記進入部の先端部分の幅より広いことを特徴とする請求項１記載のブリスターパック。
【請求項５】
前記進入部が付け根部分で折曲がることにより前記貫通孔から前記複数の層の間に進入しており、
前記進入部の最大差し渡しが、前記進入部の付け根部分の折り目方向に関して、前記複数の層のうち前記品物収容部材に最も近い層における前記貫通孔の最大差し渡しより大きいことを特徴とする請求項１記載のブリスターパック。
【請求項６】
前記蓋が、前記複数の層に加え、前記進入部の進入後に前記複数の層を互いに接触するように拘束する拘束部を有することを特徴とする請求項１記載のブリスターパック。
【請求項７】
前記拘束部の付け根部分が、前記複数の層のうち前記品物収容部材から最も離れた位置に配置される層に設けられており、
前記拘束部の先端が、前記貫通孔を経て前記蓋と前記品物収容部材との間に進入することを特徴とする請求項６記載のブリスターパック。
【請求項８】
前記拘束部が付け根部分で折曲がることにより前記貫通孔を経て前記蓋と前記品物収容部材との間に進入しており、
前記拘束部が、前記蓋と前記品物収容部材との間に進入する際に前記貫通孔の縁で弾性変形することを特徴とする請求項７記載のブリスターパック。
【発明の詳細な説明】
【技術分野】
【０００１】
本発明はブリスターパックに関する。
【背景技術】
【０００２】
特許文献１はブリスターパックの蓋固定構造を開示する。この構造において、品物収容部材に蓋が取付られる。その蓋には吊下げ用の穴及びその下に配置されるスリットが設けられている。蓋の吊下げ用穴に品物収容部材の折曲げ窓の凸片を折返す。その凸片は蓋のスリットに差込まれる。
【０００３】
特許文献１に開示された構造によれば、ホッチキス及びテープを使用せずに、蓋を品物収容部材から外れないように固定することができる。
【先行技術文献】
【特許文献】
【０００４】
【特許文献１】実登３０８０６８３号公報
【発明の概要】
【発明が解決しようとする課題】
【０００５】
特許文献１に開示された構造において、蓋に設けられているスリットへ凸片を差込む方法は次の通りである。第１の工程は、品物収容部材に蓋が挿入される工程である。第２の工程は、品物収容部材のうち吊下げ用窓が形成される部分が折曲げられる工程である。この工程において、その折曲げられた部分が蓋の吊下げ用穴を通る。第３の工程は、その折曲げられた部分の先端が蓋のスリットに差し込まれる工程である。この第３の工程を実施するためには、折曲げられた部分の先端をつまむことと、蓋のスリットを押し広げることと、押し広げられたスリットに折曲げられた部分の先端を差し込むこととが必要である。これらは並行して実施されなければならない。すなわち、特許文献１に開示された構造には、蓋に設けられているスリットへ凸片を差込む作業が煩雑であるという問題点がある。
【０００６】
本発明は、このような問題を解決するためになされたものである。本発明の目的は、蓋を品物収容部材へ容易に固定できるブリスターパックを提供することにある。
【課題を解決するための手段】
【０００７】
図面を参照し本発明のブリスターパックを説明する。なおこの欄で図中の符号を使用したのは発明の内容の理解を助けるためである。この欄で図中の符号を使用することには発明の内容を図示した範囲に限定する意図がない。
【０００８】
上述した課題を解決するために、本発明のある局面に従うと、ブリスターパックは、品物収容部材２０と蓋２２とを備える。品物収容部材２０は、凹部４０、及び、溝部４２，４４の対を有する。凹部４０に品物が収容される。溝部４２，４４の対は凹部４０が挟まれるように対向する。蓋２２は溝部４２，４４の対の双方に嵌まることで凹部４０を塞ぐ。蓋２２が複数の層７０，７２を有している。複数の層７０，７２は、いずれかの端部で互いに離れた状態にある。蓋２２に貫通孔８０が設けられている。貫通孔８０は複数の層７０，７２のうち端部を貫通する。品物収容部材２０が、進入部４８をさらに有する。進入部４８は、貫通孔８０と対向する位置に配置される。進入部４８は、貫通孔８０から複数の層７０，７２の間に進入して複数の層７０，７２に挟まれる。
【０００９】
進入部４８は、貫通孔８０と対向する位置に配置される。進入部４８は、貫通孔８０から複数の層７０，７２の間に進入する。複数の層７０，７２は、いずれかの端部で互いに離れた状態にある。この状態であれば、その端部からものを挿入することにより、複数の層７０，７２の間へ進入した進入部４８をさらに奥へ押し込むことは容易である。奥へ押し込まれた進入部４８は複数の層７０，７２に挟まれる。複数の層７０，７２に挟まれることで、蓋２２は品物収容部材２０へ固定される。その結果、蓋２２を品物収容部材２０へ容易に固定できる。
【００１０】
また、上述した貫通孔８０の断面形状が曲線状部分９４を有していることが望ましい。曲線状部分９４は、尖っている部分に比べて、進入部４８が奥へ押し込まれる際に損傷を受けにくい。進入部４８を奥へ押し込むために人の指が用いられた場合、曲線状部分９４では、尖っている部分に比べて、その指が傷付けられる可能性が低い。
【００１１】
もしくは、上述した曲線状部分９４が貫通孔８０の内側から見て貫通孔８０の外側へ向かって突出している部分を有することが望ましい。貫通孔８０の内側から見て貫通孔８０の外側へ向かって突出している部分は、貫通孔８０の内側から見て貫通孔８０の内側へ向かって突出している部分に比べ、進入部４８が奥へ押し込まれる際に損傷を受けにくい。進入部４８を奥へ押し込むために人の指が用いられた場合、貫通孔８０の内側から見て貫通孔８０の外側へ向かって突出している部分では、貫通孔８０の内側から見て貫通孔８０の内側へ向かって突出している部分に比べ、その指が傷付けられる可能性が低い。
【００１２】
また、上述した進入部４８の付け根部分１２０の幅が進入部４８の先端部分１２２の幅より広いことが望ましい。
【００１３】
また、上述した進入部４８が付け根部分１２０で折曲がることにより貫通孔８０から複数の層７０，７２の間に進入することが望ましい。この場合、進入部４８の最大差し渡しが、進入部４８の付け根部分１２０の折り目方向に関して、複数の層７０，７２のうち品物収容部材２０に最も近い層７０における貫通孔８０の最大差し渡しより大きいことが望ましい。進入部４８の付け根の折り目方向に関して、進入部４８の最大差し渡しが品物収容部材２０に最も近い層７０における貫通孔８０の最大差し渡しより大きい場合、いったん複数の層７０，７２の間へ進入部４８が進入すると、その進入部４８は後退しにくくなる。後退しにくいので、進入部４８は貫通孔８０から抜けにくくなる。抜けにくいので、蓋２２が品物収容部材２０から外れてしまう可能性が低くなる。
【００１４】
また、上述した蓋２２が、複数の層７０，７２に加え、拘束部７４，７６を有することが望ましい。拘束部７４，７６は、進入部４８の進入後に複数の層７０，７２を互いに接触するように拘束する。
【００１５】
進入部４８は、複数の層７０，７２が離れるにつれてそれらの間から抜けやすくなる。拘束部７４，７６が進入部４８の進入後に複数の層７０，７２を拘束すると、進入部４８は複数の層７０，７２の間から抜けにくくなる。抜けにくいので、蓋２２が品物収容部材２０から外れてしまう可能性が低くなる。
【００１６】
もしくは、上述した拘束部７４，７６の付け根が、複数の層７０，７２のうち品物収容部材２０から最も離れた位置に配置される層７２に設けられていることが望ましい。この場合、拘束部７４，７６の先端が、貫通孔８０を経て蓋２２と品物収容部材２０との間に進入することが望ましい。
【００１７】
進入部４８は、貫通孔８０から複数の層７０，７２の間に進入して複数の層７０，７２に挟まれる。これにより、蓋２２と品物収容部材２０との隙間が拡がりにくくなる。拘束部７４，７６の付け根部分が、複数の層７０，７２のうち品物収容部材２０から最も離れた位置に配置される層７２に設けられる。拘束部７４，７６の先端が、貫通孔８０を経て蓋２２と品物収容部材２０との隙間に進入する。これにより、複数の層７０，７２の隙間が拡がりにくくなる。蓋２２と品物収容部材２０との隙間が進入部４８によって拡がりにくくなっており、かつ、複数の層７０，７２の隙間が拘束部７４，７６の先端によって拡がりにくくなっているので、蓋２２が品物収容部材２０から外れてしまう可能性が低くなる。
【００１８】
もしくは、上述した拘束部７４，７６が付け根部分１３０，１３４で折曲がることにより貫通孔８０を経て蓋２２と品物収容部材２０との間に進入することが望ましい。この場合、拘束部７４，７６が、蓋２２と品物収容部材２０との間に進入する際に貫通孔８０の縁で弾性変形することが望ましい。
【００１９】
拘束部７４，７６が、蓋２２と品物収容部材２０との間に進入する際に、貫通孔８０の縁で弾性変形する場合、いったん蓋２２と品物収容部材２０との間に拘束部７４，７６が進入すると、その拘束部７４，７６は後退しにくくなる。後退しにくいので、拘束部７４，７６は貫通孔８０から抜けにくくなる。抜けにくいので、蓋２２が品物収容部材２０から外れてしまう可能性が低くなる。
【発明の効果】
【００２０】
本発明によれば、蓋を品物収容部材へ容易に固定できる。
【図面の簡単な説明】
【００２１】
【図１】本発明の実施形態にかかるブリスターパックの斜視図である。
【図２】本発明の実施形態にかかる品物収容部材の斜視図である。
【図３】本発明の実施形態にかかる蓋の斜視図である。
【図４】本発明の実施形態にかかる蓋の拡大図である。
【図５】本発明の実施形態にかかる蓋の内層と外層とが離れている状態を示す図である。
【図６】本発明の実施形態にかかるブリスターパックの断面図である。
【図７】本発明の実施形態にかかるブリスターパックの組立状況を示す図である。
【発明を実施するための形態】
【００２２】
以下、図面を参照しつつ、本発明の実施形態について説明する。以下の説明では、同一の部品には同一の符号を付してある。それらの名称及び機能も同一である。従って、それらについての詳細な説明は繰返さない。
【００２３】
［構成の説明］
図１は本実施形態にかかるブリスターパックの斜視図である。本実施形態にかかるブリスターパックは、品物収容部材２０と蓋２２とを備える。品物収容部材２０は品物を収容する。図１には、一部が切り欠かれた品物収容部材２０が示されている。蓋２２は凹部４０を塞ぐ。凹部４０は後述される。
【００２４】
図２は、品物収容部材２０の斜視図である。図２には、図１の場合とは反対の位置から眺められた場合の品物収容部材２０が示されている。品物収容部材２０は、対向孔３０が設けられている。品物収容部材２０は、凹部４０と、第１溝部４２と、第２溝部４４と、第３溝部４６と、進入部４８とを有する。凹部４０に品物が収容される。凹部４０に収容される品物は特に限定されない。第１溝部４２と第２溝部４４とは対向している。本実施形態の場合、第１溝部４２と第２溝部４４とが溝部の対をなしている。凹部４０は第１溝部４２と第２溝部４４とに挟まれている。第１溝部４２と第２溝部４４と第３溝部４６とによって凹部４０は囲まれている。図２から明らかなように、本実施形態の場合、進入部４８の付け根部分１２０の幅は進入部４８の先端部分１２２の幅より広い。進入部４８が付け根部分１２０で折曲がる。
【００２５】
対向孔３０の縁は、底辺部分５０と一対の斜辺部分５２と一対の底側曲線状部分５４と頂部側曲線状部分５６とを有する。底辺部分５０及び斜辺部分５２は対向孔３０の縁の直線状部分である。底側曲線状部分５４は、底辺部分５０の端と斜辺部分５２の端との間に設けられる。頂部側曲線状部分５６は、一方の斜辺部分５２の端と他方の斜辺部分５２の端との間に設けられる。底側曲線状部分５４及び頂部側曲線状部分５６の形状は、対向孔３０の内側から見て対向孔３０の外側に向かって突出した形状である。底辺部分５０の輪郭線と斜辺部分５２の輪郭線とは、底側曲線状部分５４の輪郭線の接線である。斜辺部分５２の輪郭線は、頂部側曲線状部分５６の輪郭線の接線でもある。本実施形態の場合、上述した進入部４８の付け根部分１２０は、対向孔３０の縁のうち底辺部分５０に設けられる。
【００２６】
図３は、蓋２２の斜視図である。図３には、図１の場合と同じ方向から眺められた場合の蓋２２が示されている。蓋２２の各部分は図３に基づき説明される。蓋２２のうち第１辺６０が品物収容部材２０の第１溝部４２に嵌まる。第２辺６２が品物収容部材２０の第２溝部４４に嵌まる。第３辺６４が品物収容部材２０の第３溝部４６に嵌まる。これにより、品物収容部材２０の凹部４０は蓋２２によって塞がれる。蓋２２には貫通孔８０が設けられている。本実施形態の場合、上述した進入部４８の付け根部分１２０は対向孔３０の縁に設けられている。対向孔３０は貫通孔８０に対向する。これにより、進入部４８は貫通孔８０と対向する位置に配置されることとなる。蓋２２は、内層７０と外層７２と第１拘束部７４と第２拘束部７６とを有する。内層７０は凹部４０に対向する。外層７２は本実施形態にかかるブリスターパックの表面に露出する。そのため、本実施形態の場合、外層７２が品物収容部材２０から最も離れた位置に配置される層である。第１拘束部７４と第２拘束部７６とは内層７０を拘束する。これにより内層７０と外層７２とは接触する。本実施形態では、第１拘束部７４と第２拘束部７６とを「拘束部」と総称する。
【００２７】
図４は、蓋２２のうち貫通孔８０付近の拡大図である。貫通孔８０の形状は図４に基づき説明される。貫通孔８０は内層７０と外層７２とを貫通する。貫通孔８０の断面形状は、底辺部分９０と一対の斜辺部分９２と一対の曲線状部分９４とを有する。底辺部分９０及び斜辺部分９２は貫通孔８０の断面形状の直線状部分である。曲線状部分９４は、底辺部分９０の端と斜辺部分９２の端との間に設けられる。貫通孔８０の内側から見た曲線状部分９４の形状は、貫通孔８０の外側に向かって突出した形状である。底辺部分９０の輪郭線と斜辺部分９２の輪郭線とは、曲線状部分９４の輪郭線の接線である。
【００２８】
図５は、内層７０と外層７２とが離れている状態の蓋２２を示す図である。内層７０の形態と外層７２の形態とは図５に基づき説明される。本実施形態の場合、蓋２２は、周知のボール紙を二つ折りにすることで形成される。ボール紙を二つ折りにすることで蓋２２が形成されるので、内層７０と外層７２とは蓋２２の第２辺６２にあたる箇所で連なっている。内層７０と外層７２とは、その他の箇所で互いに離れた状態にある。内層７０には内層孔１００が設けられている。外層７２には外層孔１０２が設けられている。本実施形態の場合、第１拘束部７４及び第２拘束部７６は、外層孔１０２の縁に連なっている。内層７０と外層７２とが接触すると、内層孔１００と外層孔１０２とが連通する。内層孔１００は外層孔１０２に連通する位置に配置されている。内層孔１００と外層孔１０２とが連通することにより、貫通孔８０が形成される。内層孔１００の形状と外層孔１０２の形状とが貫通孔８０の断面形状にあたる。本実施形態の場合、第１拘束部７４の付け根部分１３０は、外層孔１０２の縁のうち斜辺部分９２の一方にあたる位置に設けられている。第２拘束部７６の付け根部分１３４は、外層孔１０２の縁のうち斜辺部分９２の他方にあたる位置に設けられている。本実施形態の場合、外層孔１０２の幅及び高さは内層孔１００の幅及び高さより大きい。外層孔１０２の幅及び高さが内層孔１００の幅及び高さより大きいので、蓋２２を内層７０側から見ると、外層孔１０２の輪郭線がすべて見える。蓋２２を外層７２側から見ると、内層孔１００の輪郭線がまったく見えない。これにより、第１拘束部７４が、蓋２２と品物収容部材２０との間に進入する際に貫通孔８０の縁で弾性変形することとなる。第２拘束部７６も同様である。
【００２９】
図６は、本実施形態にかかるブリスターパックの断面図である。進入部４８の状況は図６に基づいて説明される。第１拘束部７４と第２拘束部７６との状況も図６に基づいて説明される。図６に示されているように、進入部４８は、内層７０と外層７２との間に挟まれる。図６に示されているように、第２拘束部７６は、内層７０と品物収容部材２０との間に挟まれる。図６に示されていないが、第１拘束部７４も内層７０と品物収容部材２０との間に挟まれる。内層７０と品物収容部材２０との間に挟まれることで、第１拘束部７４及び第２拘束部７６は内層７０を拘束する。
【００３０】
［製造方法の説明］
本実施形態にかかるブリスターパックの製造方法は、品物収容部材製造工程と、蓋製造工程と、組立工程とを備える。以下において、これらの工程が詳細に説明される。
【００３１】
品物収容部材製造工程において、作業者は、まずプラスチック板に凹部４０と第１溝部４２と第２溝部４４と第３溝部４６とを形成する。この形成の具体的な手順が周知なので本明細書ではその詳細な説明は繰り返されない。凹部４０と第１溝部４２と第２溝部４４と第３溝部４６とが形成されると、作業者は、そのプラスチック板に切れ目を入れる。本実施形態の場合、切れ目を入れるための道具はトムソン刃である。トムソン刃とは、板に形成された溝に嵌め込まれた鋼製の刃のことである。切れ目の位置は、対向孔３０の位置に等しい。切れ目の形状は、底辺部分５０を除いて対向孔３０の形状に等しい。切れ目の形状には対向孔３０の底辺部分５０に相当する部分が存在しない。切れ目によって取り囲まれた部分が進入部４８になる。
【００３２】
蓋製造工程において、作業者は、まず折り目と内層孔１００とを周知のボール紙に形成する。折り目の位置はボール紙の中央である。折り目と内層孔１００との形成の具体的な手順が周知なので本明細書ではその詳細な説明は繰り返されない。折り目と内層孔１００とが形成されると、作業者は、そのボール紙に切れ目を入れる。本実施形態の場合、切れ目を入れるための道具はトムソン刃である。切れ目の位置は、外層孔１０２の位置に等しい。切れ目の形状には、貫通孔８０の曲線状部分９４に相当する部分と、貫通孔８０の底辺部分９０に相当する部分と、貫通孔８０の底辺部分９０の途中から分岐している部分とがある。切れ目によって取り囲まれた部分が第１拘束部７４と第２拘束部７６とになる。切れ目が形成されると、作業者は最初に設けられた折り目に沿ってボール紙を折りたたむ。ボール紙が折りたたまれると、作業者は、その折りたたまれたボール紙の外形を整形する。これにより、第１辺６０と第２辺６２と第３辺６４とが形成される。
【００３３】
組立工程において、作業者は、プラスチック板の凹部４０に品物を入れる。品物が入れられると、作業者は、第１溝部４２と第２溝部４４との間に折りたたまれたボール紙を挿入する。作業者は、第３辺６４が第３溝部４６に嵌まるまでその折りたたまれたボール紙をスライドさせる。折りたたまれたボール紙の第３辺６４が第３溝部４６に嵌まると、作業者は、折りたたまれたボール紙の間に進入部４８を進入させる。進入部４８の進入後、作業者は、内層７０と品物収容部材２０との間に第１拘束部７４及び第２拘束部７６を進入させる。図７は、本実施形態にかかるブリスターパックの組立状況を示す図である。折りたたまれたボール紙の間に進入部４８を進入させるための手順は、図７に基づいて説明される。
【００３４】
折りたたまれたボール紙の第３辺６４が第３溝部４６に嵌まると、作業者は、折りたたまれたボール紙の内層７０と外層７２との隙間を拡げる。隙間を拡げるため、作業者は、プラスチック板の第１溝部４２と第２溝部４４とに指をかけてからそのプラスチック板を握る。上述されているように、内層７０と外層７２とは、蓋２２の第２辺６２にあたる箇所を除いて互いに離れた状態にある。このため、プラスチック板が握られると、折りたたまれたボール紙の全体にわたり隙間が拡がる。当然、折りたたまれたボール紙の端部から貫通孔８０の周囲までの部分の隙間も拡がる。隙間が拡がったら、作業者は、プラスチック板のうち進入部４８となる部分の付け根を折曲げる。この折曲げによって、プラスチック板は品物収容部材２０となる。対向孔３０が内層孔１００に対向しているので、この折曲げにより、進入部４８は内層孔１００を通って内層７０と外層７２との間に入る。進入部４８が内層孔１００を通ると、作業者は、進入部４８をさらに折曲げる。図７には、この折曲げのため、内層７０と外層７２との間に指が突っ込まれている状況が示されている。この折曲げによって進入部４８が内層７０に接触するようになると、作業者は、品物収容部材２０を握る力を緩める。これにより内層７０と外層７２との隙間が狭くなる。進入部４８は内層７０と外層７２とに挟まれる。進入部４８が内層７０と外層７２とに挟まれると、作業者は、品物収容部材２０と内層７０との間に隙間を設ける。隙間を形成するため、作業者は、品物収容部材２０の第１溝部４２と第２溝部４４とに指をかけてから品物収容部材２０を握る。隙間が設けられると、作業者は、折りたたまれたボール紙の切れ目に指を押し込む。これにより、その切れ目の周囲が折曲げられる。この折曲げによって、第１拘束部７４と第２拘束部７６とが形成される。第１拘束部７４と第２拘束部７６とが形成されることで、折りたたまれたボール紙は蓋２２となる。内層孔１００と外層孔１０２とが連通しているので、第１拘束部７４と第２拘束部７６とは、内層孔１００を通って内層７０と品物収容部材２０との間に入る。第１拘束部７４と第２拘束部７６とが内層孔１００を通ると、作業者は、第１拘束部７４と第２拘束部７６とをさらに折曲げる。この折曲げによって第１拘束部７４と第２拘束部７６とが内層７０に接触するようになると、作業者は、品物収容部材２０を握る力を緩める。これにより内層７０と品物収容部材２０との隙間が狭くなる。第１拘束部７４と第２拘束部７６とは内層７０と品物収容部材２０とに挟まれる。これにより、本実施形態にかかるブリスターパックが完成する。対向孔３０と貫通孔８０とは、吊下げ用の孔として利用できる。
【００３５】
［使用方法の説明］
本実施形態にかかるブリスターパックの使用方法は周知のブリスターパックと同様である。したがって、本実施形態にかかるブリスターパックの使用方法は本明細書では説明されない。
【００３６】
［本実施形態にかかる効果の説明］
本実施形態にかかるブリスターパックの効果は図６に基づいて説明される。上述されているように、進入部４８は内層７０と外層７２とに挟まれている。進入部４８が挟まれているので、第１溝部４２及び第２溝部４４に沿う蓋２２の動きは抑えられる。動きが抑えられるので、蓋２２は係留される。その結果、いったん品物収容部材２０に取り付けられた蓋２２は外れにくくなる。ホッチキスなどは不要である。
【００３７】
また、本実施形態にかかるブリスターパックにおいて、第１拘束部７４が付け根部分１３０で折曲がることにより貫通孔８０を経て蓋２２と品物収容部材２０との間に進入する。第２拘束部７６も付け根部分１３４で折曲がることにより貫通孔８０を経て蓋２２と品物収容部材２０との間に進入する。その際、第１拘束部７４と第２拘束部７６とが、蓋２２と品物収容部材２０との間に進入する際に貫通孔８０の縁で弾性変形する。この場合、いったん蓋２２と品物収容部材２０との間に第１拘束部７４と第２拘束部７６とが進入すると、それらは後退しにくくなる。後退しにくいので、第１拘束部７４と第２拘束部７６とは貫通孔８０から抜けにくくなる。抜けにくいので、蓋２２が品物収容部材２０から外れてしまう可能性が低くなる。
【００３８】
また、本実施形態にかかるブリスターパックにおいて、進入部４８は、貫通孔８０から内層７０と外層７２との間に進入してそれらに挟まれる。これにより、蓋２２と品物収容部材２０との隙間が拡がりにくくなる。第１拘束部７４の付け根部分１３０と第２拘束部７６の付け根部分１３４とが、外層７２に設けられる。第１拘束部７４の先端と第２拘束部７６の先端とが、貫通孔８０を経て蓋２２と品物収容部材２０との隙間に進入する。これにより、内層７０と外層７２との隙間が拡がりにくくなる。蓋２２と品物収容部材２０との隙間が進入部４８によって拡がりにくくなっており、かつ、内層７０と外層７２との隙間が第１拘束部７４の先端と第２拘束部７６の先端とによって拡がりにくくなっているので、蓋２２が品物収容部材２０から外れてしまう可能性が低くなる。
【００３９】
また、本実施形態にかかるブリスターパックにおいて、進入部４８の最大差し渡しが、進入部４８の付け根部分１２０の折り目方向に関して、内層７０における貫通孔８０の最大差し渡しより大きいので、いったん内層７０と外層７２との間へ進入部４８が進入すると、その進入部４８は後退しにくくなる。後退しにくいので、進入部４８は貫通孔８０から抜けにくくなる。抜けにくいので、蓋２２が品物収容部材２０から外れてしまう可能性が低くなる。
【００４０】
また、本実施形態にかかるブリスターパックにおいて、貫通孔８０の断面形状のうち曲線状部分９４が貫通孔８０の内側から見て貫通孔８０の外側へ向かって突出している。この部分は、進入部４８が奥へ押し込まれる際に損傷を受けにくい。進入部４８を奥へ押し込むために人の指が用いられた場合、貫通孔８０の内側から見て貫通孔８０の外側へ向かって突出している部分では、貫通孔８０の内側から見て貫通孔８０の内側へ向かって突出している部分に比べ、その指が傷付けられる可能性が低い。
【００４１】
また、本実施形態にかかるブリスターパックにおいて、蓋２２の動きは第３辺６４が品物収容部材２０の第３溝部４６に嵌まることによっても抑えられている。
【００４２】
［変形例の説明］
上述したブリスターパックは、本発明の技術的思想を具体化するために例示したものである。上述したブリスターパックは、本発明の技術的思想の範囲内において種々の変更を加え得るものである。
【００４３】
例えば、拘束部の数は上述したものに限定されない。蓋２２は第１拘束部７４及び第２拘束部７６を有していなくともよい。拘束部の形状も上述したものに限定されない。拘束部の大きさも上述したものに限定されない。拘束部の付け根の位置も上述したものに限定されない。
【００４４】
また、進入部４８の数は上述したものに限定されない。進入部４８の形状も上述したものに限定されない。進入部４８の付け根部分１２０の位置も上述したものに限定されない。進入部４８の大きさも上述したものに限定されない。
【００４５】
また、貫通孔８０の断面形状は上述したものに限定されない。貫通孔８０の断面形状の例には、円形、楕円形、三角形、中央から半円形の凸部が突出している楕円形がある。
【００４６】
また、蓋２２が有する層は２層に限定されない。例えば、蓋２２は、３層以上の層を有していてもよい。その場合、蓋２２は、ボール紙を蛇腹折りにしたものから製造されても良いし、重ねた板紙の一部を貼り合わせたものでもよい。
【符号の説明】
【００４７】
２０…品物収容部材、
２２…蓋、
３０…対向孔、
４０…凹部、
４２…第１溝部、
４４…第２溝部、
４６…第３溝部、
４８…進入部、
５０，９０…底辺部分、
５２，９２…斜辺部分、
５４…底側曲線状部分、
５６…頂部側曲線状部分、
６０…第１辺、
６２…第２辺、
６４…第３辺、
７０…内層、
７２…外層、
７４…第１拘束部、
７６…第２拘束部、
８０…貫通孔、
９４…曲線状部分、
１００…内層孔、
１０２…外層孔、
１２０，１３０，１３４…付け根部分、
１２２…先端部分、
【図１】
2014148343.tif 000003
【図２】
2014148343.tif 000004
【図３】
2014148343.tif 000005
【図４】
2014148343.tif 000006
【図５】
2014148343.tif 000007
【図６】
2014148343.tif 000008
【図７】
2014148343.tif 000009